(57)【特許請求の範囲】
【請求項１】
無線機本体に取付けられた取付金具にフックが先端部を前記無線機本体に近接または離間させるように回動自在に支持され、ばねでフック先端部が無線機本体の方向に回動するように付勢された携帯無線機のベルトフックにおいて、中心穴と同軸の円周上等間隔に凹部または凸部が形成された固定板金が前記無線機本体に一体となるように固定され、前記固定板金の中心穴に立設された第１の軸の頭部と固定板金の間に中心穴と前記凹部または凸部と嵌合する凸部または凹部を有する可動板金と波座金とを前記第１の軸に挿通させて重ねて挾持させ、前記可動板金に設けた第２の軸で前記フックを回動自在に支持し、前記フックが前記可動板金と波座金とを挿通した前記第１の軸回りの複数の所定回動位置で使用可能とし、前記フック先端部と無線機本体の間に間隙が生じるようにフックまたは無線機本体の側の少なくともいずれか一方に突起を設け、前記突起が前記フックまたは無線機本体の側の他方に圧接されるように構成した携帯無線機のベルトフック。
【請求項２】
前記フックに前記第１の軸の頭部に当接するように前記突起を設けた請求項１の携帯無線機のベルトフック。
【請求項３】
前記フックの、前記固定板金上方の位置よりもベルトフック先端方向の位置に前記突起を設けた請求項１の携帯無線機のベルトフック。
【請求項４】
前記無線機本体の、前記固定板金の位置よりもベルトフック先端方向の位置に前記突起を設けた請求項１の携帯無線機のベルトフック。
【請求項５】
前記可動板金を回動自在に支持する軸の頭部に前記突起を設けた請求項１の携帯無線機のベルトフック。
【請求項６】
前記固定板金の、前記可動板金の位置よりもベルトフック先端方向の位置に前記突起を設けた請求項１の携帯無線機のベルトフック。
【請求項７】
請求項１〜６のいずれかに記載のベルトフックを有する携帯無線機
【発明の詳細な説明】
【技術分野】
【０００１】
この発明は携帯無線機に係わり、特に、その無線機本体をベルトに固定するベルトフックに関する。
【背景技術】
【０００２】
従来の携帯無線機のベルトフックの例を図７により説明する。図７に示す無線機本体２には固定板金４が接着等により固定される。固定板金４の周辺の上面は無線機本体２の固定板金取付基準面２ａと同一面となっている。
【０００３】
この固定板金４には可動板金５および波座金７の中心穴を挿通した第１の軸６が固定されている。固定板金４と可動板金５は前記中心穴同一円周上に等間隔に凹部および凸部（図示していない）が８個等間隔に夫々形成されており、第１の軸６の頭部６ａで押さえられた波座金７は可動板金５を固定板金４に圧接し、前記凸部が凹部と嵌合する位置で可動板金５の回動位置が安定する。すなわち、可動板金５を回動させるときにクリック感が得られ、可動板金５を安定位置で使用することができる。
【０００４】
フック１０および可動板金５の夫々の穴を挿通する第２の軸８はフック１０を回動自在に支持しており、第２の軸８回りに介装された捩じりコイルばね９はフック１０を図７における反時計方向に付勢している。そして、フック１０の先端に設けられた爪１０ａは無線機本体２の固定板金取付基準面２ａに圧接されている。
【０００５】
このように形成された携帯無線機のベルトフックを使用する場合は、フック１０が無線機本体２の正立方向、横方向、または正立方向に対して４５°の方向に向けて、フック１０を持ち上げ爪１０ａと無線機本体２の固定板金取付基準面２ａとでベルトを挟むようにして無線機本体２をベルトに固定して使用する。
【０００６】
上記した図７に示す携帯無線機のベルトフックでは、フック１０の爪１０ａがベルトを押さえる荷重がべルトの厚みに対応するフック１０の回動角すなわち捩じりコイルばね９の変形量により変化する。そして、荷重のべルト単位厚みに対する変化量は捩じりコイルばね９のばね定数が大きくなるに連れて増大する。
【０００７】
捩じりコイルばね９のばね定数を小さくすると、荷重のべルト単位厚みに対する変化量を小さくすることができるが、その場合は、必要最小限の荷重を得るためにフック１０の爪１０ａが固定板金取付基準面２ａに圧接した状態で捩じりコイルばね９を大きく変形させた状態としなければならず、爪１０ａが無線機本体２の固定板金取付基準面２ａに強く圧接された状態となる。
【０００８】
このため、フック１０を使用位置に回動させるときに、爪１０ａと固定板金取付基準面２ａが擦れて無線機本体２が傷つき、また、回動時のクリック感が損なわれるという問題があった。なお、捩じりコイルばね９のばね定数を大きくすれば、爪１０ａと無線機本体２の固定板金取付基準面２ａとの圧接力を小さくすることもできるが、荷重のべルト単位厚みに対する変化量が大きくなるという問題が発生する。
【０００９】
図８に示す従来の携帯無線機のベルトフックの例では、無線機本体１のベルト圧接面１ｂが固定板金取付基準面１ａよりも低くなっている。他の構成は図７に示したものと同様であり、対応する部材に同一の符号を付して詳細な説明を省略する。
【００１０】
この例では、ベルトを圧接面１ｂと固定板金取付基準面１ａとの段差にベルトを当接させることにより、無線機本体１をより安定してベルトに保持させることができるが自然状態でフック１０が傾いた状態となる。この例も上記した図７で説明したものと同様の問題があった。
【００１１】
特開平２００２−３５３８４０号公報に開示された携帯無線機のベルトフック取付構造では、回動自在に支持されたベルトフック３の先端がばねでバッテリ５に圧接される。この携帯無線機のベルトフック取付構造もバッテリ５が傷つき、あるいは、荷重のべルト単位厚みに対する変化量が大きくなるという問題があった。
【特許文献１】特開平２００２−３５３８４０号公報、段落００１２、図２、図３
【発明の開示】
【発明が解決しようとする課題】
【００１２】
この発明は上記した点に鑑みてなされたものであって、その目的とするところは、無線機本体が傷つくことがなく、あるいは、荷重のべルト単位厚みに対する変化量が大きくなることのない携帯無線機のベルトフックを提供することにある。
【課題を解決するための手段】
【００１３】  この発明の携帯無線機のベルトフックは、無線機本体に取付けられた取付金具にフックが先端部を前記無線機本体に近接または離間させるように回動自在に支持され、ばねでフック先端部が無線機本体の方向に回動するように付勢された携帯無線機のベルトフックにおいて、中心穴と同軸の円周上等間隔に凹部または凸部が形成された固定板金が前記無線機本体に一体となるように固定され、前記固定板金の中心穴に立設された第１の軸の頭部と固定板金の間に中心穴と前記凹部または凸部と嵌合する凸部または凹部を有する可動板金と波座金とを前記第１の軸に挿通させて重ねて挾持させ、前記可動板金に設けた第２の軸で前記フックを回動自在に支持し、前記フックが前記可動板金と波座金とを挿通した前記第１の軸回りの複数の所定回動位置で使用可能とし、前記フック先端部と無線機本体の間に間隙が生じるようにフックまたは無線機本体の側の少なくともいずれか一方に突起を設け、前記突起が前記フックまたは無線機本体の側の他方に圧接されるように構成したものである。【００１４】  また、前記携帯無線機のベルトフックにおいて、前記フックに前記第１の軸の頭部に当接するように前記突起を設けたものである。【００１５】  また、同携帯無線機のベルトフックにおいて、前記固定板金上方の位置よりもベルトフック先端方向の位置に前記突起を設けたものである。【００１６】  また、同携帯無線機のベルトフックにおいて、前記無線機本体の、前記固定板金の位置よりもベルトフック先端方向の位置に前記突起を設けたものである。【００１７】  また、同携帯無線機のベルトフックにおいて、前記可動板金を回動自在に支持する軸の頭部に前記突起を設けたものである。【００１８】  また、同携帯無線機のベルトフックにおいて、前記固定板金の、前記可動板金の位置よりもベルトフック先端方向の位置に前記突起を設けたものである。【００１９】  また、この発明の携帯無線機は、前記各ベルトフックを有するものである。
【発明の効果】
【００２０】
この発明の携帯無線機のベルトフックによれば、無線機本体が傷つくことがなく、あるいは、荷重のべルト単位厚みに対する変化量が大きくなることがない。
【発明を実施するための最良の形態】
【００２１】
以下この発明を実施するための最良の形態を実施例に即して説明する。
【実施例１】
【００２２】
図１はこの発明の実施例１である携帯無線機のベルトフックを一部断面として示す側面図である。図１に示す無線機本体１には固定板金４が接着等により固定される。固定板金４の周辺の上面は無線機本体１の固定板金取付基準面１ａと同一面となっている。
【００２３】
この固定板金４には可動板金５および波座金７の中心穴を挿通した第１の軸６が固定されている。固定板金４と可動板金５は前記中心穴同一円周上に等間隔に凹部および凸部（図示していない）が８個等間隔に夫々形成されており、第１の軸６の頭部６ａで押さえられた波座金７は可動板金５を固定板金４に圧接し、前記凸部が凹部と嵌合する位置で可動板金５の回動位置が安定する。すなわち、可動板金５を回動させるときにクリック感が得られ、可動板金５を安定位置で使用することができる。
【００２４】
フック１０および可動板金５の夫々の穴を挿通する第２の軸８はフック１０を回動自在に支持しており、第２の軸８回りに介装された捩じりコイルばね９はフック１０を図１における反時計方向に付勢している。そして、フック１０に設けられた突起１０ｂは第１の軸６の頭部６ａに圧接されており、フック１０の爪１０ａは無線機本体１の固定板金取付基準面１ａより低いベルト圧接面１ｂからｈの距離離れた位置にある。上記の固定板金４および可動板金５によりフック１０の取付金具が構成されている。
【００２５】
このように形成された携帯無線機のベルトフックを使用する場合は、フック１０が無線機本体１の正立方向、横方向、または正立方向に対して４５°の方向に向けてフック１０を持ち上げ、爪１０ａと無線機本体１のベルト圧接面１ｂとでベルトを挟むようにして無線機本体１をベルトに固定して使用する。
【００２６】
この例では自然状態でフック１０の爪１０ａがベルト圧接面１ｂから離れているので無線機本体１と爪１０ａが擦れて無線機本体１が傷つくことがない。そして、捩じりコイルばね９のばね定数を小さくしても自然状態での捩じりコイルばね９の変形量を大きくすることにより必要なフック１０の荷重を得ることができる。そして、捩じりコイルばね９のばね定数が小さいため、ベルト厚さの変化に対するフック１０の荷重の変化が小さくなる。
【００２７】
この実施例ではベルトを圧接面１ｂと固定板金取付基準面１ａとの段差にベルトを当接させることにより、無線機本体１をより安定してベルトに保持させることができる。
【００２８】
図２は実施例１の携帯無線機のベルトフックの変形例を一部断面として示す側面図である。この例では無線機本体２のベルト圧接面が固定板金取付基準面２ａと同一面となっている。他の構成は図１に示したものと同様であり、対応する部材に同一の符号を付して詳細な説明を省略する。
【００２９】
この例では、ベルトの圧接面と固定板金取付基準面１ａとが同一面であるので自然状態でのフック１０の傾斜が小さくなる。そして、この例でも無線機本体２が傷つくことがない。また、捩じりコイルばね９のばね定数を小さくして、ベルト厚さの変化に対するフック１０の荷重の変化を小さくすることができる。
【実施例２】
【００３０】
図３はこの発明の実施例２である携帯無線機のベルトフックを一部断面として示す側面図である。この例では無線機本体１のベルトフック１０の先端近傍に突起１０ｂが設けられており、自然状態で突起１０ｂが固定板金取付基準面１ａに圧接され、ベルトフック１０の爪１０ａが固定板金取付基準面１ａよりＬの距離だけ低くなっているが、ベルト圧接面１ｂより離れている。他の構成は図１に示したものと同様であり、対応する部材に同一の符号を付して詳細な説明を省略する。
【００３１】
この例では、ベルトを圧接面１ｂと固定板金取付基準面１ａとの段差にベルトを当接させることにより、無線機本体１をより安定してベルトに保持させることができる。そして、この例でも無線機本体１が傷つくことがない。また、捩じりコイルばね９のばね定数を小さくして、ベルト厚さの変化に対するフック１０の荷重の変化を小さくすることができる。
【実施例３】
【００３２】
図４はこの発明の実施例３である携帯無線機のベルトフックを一部断面として示す側面図である。この例では無線機本体３の固定板金取付基準面３ａに突起３ｃが設けられており、自然状態でベルトフック１０が突起３ｃに圧接され、ベルトフック１０の爪１０ａがベルト圧接面３ｂより離れている。そして、ベルトフック１０の爪１０ａが固定板金取付基準面３ａよりＬの距離だけ低くなっている。他の構成は図３に示したものと同様であり、対応する部材に同一の符号を付して詳細な説明を省略する。
【００３３】
この例では、ベルトを圧接面３ｂと固定板金取付基準面３ａとの段差にベルトを当接させることにより、無線機本体３をより安定してベルトに保持させることができる。そして、この例でも無線機本体３が傷つくことがない。また、捩じりコイルばね９のばね定数を小さくして、ベルト厚さの変化に対するフック１０の荷重の変化を小さくすることができる。
【実施例４】
【００３４】
図５はこの発明の実施例４である携帯無線機のベルトフックを一部断面として示す側面図である。この例では第１の軸６の頭部６ａ突起６ｂが設けられており、自然状態でベルトフック１０が突起６ｂに圧接され、ベルトフック１０の爪１０ａがベルト圧接面１ｂより離れている。そして、ベルトフック１０の爪１０ａが固定板金取付基準面１ａより低くなっている。他の構成は図１に示したものと同様であり、対応する部材に同一の符号を付して詳細な説明を省略する。
【００３５】
この例では、ベルトを圧接面１ｂと固定板金取付基準面１ａとの段差にベルトを当接させることにより、無線機本体１をより安定してベルトに保持させることができる。そして、この例でも無線機本体１が傷つくことがない。また、捩じりコイルばね９のばね定数を小さくして、ベルト厚さの変化に対するフック１０の荷重の変化を小さくすることができる。
【実施例５】
【００３６】
図６はこの発明の実施例５である携帯無線機のベルトフックを一部断面として示す側面図である。この例では固定板金４に突起４ａが設けられており、自然状態でベルトフック１０が突起４ａに圧接され、ベルトフック１０の爪１０ａがベルト圧接面１ｂより離れている。そして、ベルトフック１０の爪１０ａが固定板金取付基準面１ａより低くなっている。他の構成は図１に示したものと同様であり、対応する部材に同一の符号を付して詳細な説明を省略する。
【００３７】
この例では、ベルトを圧接面１ｂと固定板金取付基準面１ａとの段差にベルトを当接させることにより、無線機本体１をより安定してベルトに保持させることができる。そして、この例でも無線機本体１が傷つくことがない。また、捩じりコイルばね９のばね定数を小さくして、ベルト厚さの変化に対するフック１０の荷重の変化を小さくすることができる。
【図面の簡単な説明】
【００３８】
【図１】この発明の実施例１である携帯無線機のベルトフックを一部断面として示す側面図である。
【図２】同携帯無線機のベルトフックの変形例を一部断面として示す側面図である。
【図３】この発明の実施例２である携帯無線機のベルトフックを一部断面として示す側面図である。
【図４】この発明の実施例３である携帯無線機のベルトフックを一部断面として示す側面図である。
【図５】この発明の実施例４である携帯無線機のベルトフックを一部断面として示す側面図である。
【図６】この発明の実施例５である携帯無線機のベルトフックを一部断面として示す側面図である。
【図７】従来の携帯無線機のベルトフックの例を一部断面として示す側面図である。
【図８】従来の携帯無線機のベルトフックの他の例を一部断面として示す側面図である。
【符号の説明】
【００３９】
１  無線機本体、１ａ  固定板金取付基準面、１ｂ  ベルト圧接面
２  無線機本体、２ａ  固定板金取付基準面
３  無線機本体、３ａ  固定板金取付基準面、３ｂ  ベルト圧接面、３ｃ  突起
４  固定板金、４ａ  突起
５  可動板金
６  第１の軸、６ａ  頭部、６ｂ  突起
７  波座金
８  第２の軸
９  捩じりコイルばね
１０  フック、１０ａ  爪、１０ｂ  突起
【図１】
0005040621.tif 000002
【図２】
0005040621.tif 000003
【図３】
0005040621.tif 000004
【図４】
0005040621.tif 000005
【図５】
0005040621.tif 000006
【図６】
0005040621.tif 000007
【図７】
0005040621.tif 000008
【図８】
0005040621.tif 000009